(57)【要約】【課題】  独立したユニット間で、ＬＣＤ等の表示装置のコントラストを従属的に変化させる際のコントラストの変動を防止する。【解決手段】  互いに独立する第１及び第２のユニット１、２間で、第１のユニット２からのアナログコントラスト制御信号に基づいて、第２のユニット１の表示装置１ａのコントラストを複数段に制御するため、第２のユニット１の起動時に、第１のユニット２からのアナログコントラスト制御信号をＡ／Ｄ変換し、デジタル信号に変換された信号のレベルに基づいて、予め定められた閾値テーブルの複数の閾値を使用してコントラストの高さを判断し、コントラストの高さに基づいて表示装置１ａのコントラストを制御する際に、デジタル信号のレベルが、閾値テーブルの隣接する２つの閾値の中間に位置するように、２つの閾値をスライドさせ、その他の閾値も同じ幅でスライドさせて新たな閾値テーブルとする。【選択図】  図４
2005227321.tif 000002
【特許請求の範囲】
【請求項１】
互いに独立する第１及び第２のユニット間で、前記第１のユニットからのアナログコントラスト制御信号に基づいて、前記第２のユニットの表示装置のコントラストを複数段にわたって制御するにあたって、前記第２のユニットの起動時に、前記第１のユニットからのアナログコントラスト制御信号をアナログ／デジタル変換し、該デジタル信号に変換された信号のレベルに基づいて、予め定められた閾値テーブルの複数の閾値を使用してコントラストの高さを判断し、該コントラストの高さに基づいて前記第２のユニットの表示装置のコントラストを制御する方法において、
前記デジタル信号のレベルが、前記閾値テーブルの隣接する２つの閾値の中間に位置するように、該２つの閾値をスライドさせるとともに、該２つの閾値以外の閾値を該２つの閾値と同じ幅でスライドさせて新たな閾値テーブルとすることを特徴とする表示装置のコントラスト制御方法。
【請求項２】
さらに、所定の時間毎に、前記第１のユニットからのアナログコントラスト制御信号をアナログ／デジタル変換して得られたデジタル信号のレベルが、前記閾値テーブルの隣接する２つの閾値の中間に位置するように、該２つの閾値をスライドさせるとともに、該２つの閾値以外の閾値を該２つの閾値と同じ幅でスライドさせて新たな閾値テーブルとすることを特徴とする請求項１記載の表示装置のコントラスト制御方法。
【発明の詳細な説明】
【技術分野】
【０００１】
本発明は、表示装置のコントラスト制御方法に関し、特に、互いに独立したユニット間でＬＣＤ等の表示装置のコントラストを従属的に変化させる際のコントラスト制御方法に関する。
【背景技術】
【０００２】
テレビジョン受像器等のＣＲＴのコントラストを制御するにあたって、特許文献１には、映像処理回路に、閾値制御部と帰還制御部とを設け、閾値電圧を可変とすることによってコントラスト調整電圧の変動を吸収し、コントラスト調整電圧の変動に基づく平均ビーム電流量を補正するコントラスト制御回路が開示されている。すなわち、この文献に記載のコントラスト制御回路では、閾値の補正を回路素子の組み合わせによって実現している。
【０００３】
上記コントラスト制御回路では、演算増幅器、その他の回路素子が必要となり、装置の製造コストが上昇する。そこで、閾値の補正をＭＰＵ（Micro Processing Unit）で実現する方法が存在する。この方法は、例えば、図１に示すような、多機能電話機１と、オプションのユニット（以下、単に「ユニット」という）２との互いに独立したユニット間で、ＬＣＤのコントラストを従属的に変化させるにあたって用いられるものである。
【０００４】
この方法では、コントラストを多段にわたって変化させるにあたって、通常、多機能電話機１が起動し、初期設定が終了すると、ＭＰＵ１ｂのアナログ／デジタル変換回路（Ａ／Ｄ変換回路）１ｃがユニット２のＬＳＩ２ｂからのコントラスト調整電圧をＡ／Ｄ変換し、図３（ａ）に示す閾値テーブルの閾値を使用して変換されたデジタル信号のレベルからコントラストの高さを判断し、多機能電話機１のデジタル／アナログ変換回路（Ｄ／Ａ変換回路）１ｄを介してＤ／Ａ変換し、ＬＣＤ１ａに対応するコントラストで表示する。
【０００５】
上記ＭＰＵ１ｂの判断について、図４に示したフローチャートの一部を使用して説明する。まず、ステップＳ１において、端子電圧読込処理を行い、ユニット２のＬＳＩ２ｂからのコントラスト調整電圧をデジタル変換した信号のレベルを読込値ｘとする。ここで、ｘを仮に１８８とする。また、ステップＳ２において、コントラスト値をｙ：７とする。
【０００６】
次に、読込値ｘ：１８８から図３の閾値ＪＵＤＧＥ７である１９５を減算する。ステップＳ３において、演算の結果、差は正数ではないため、ステップＳ４において、コントラスト値：ｙを６として、読込値ｘ：１８８から閾値ＪＵＤＧＥ６である１８５を減算する。ステップＳ５において、この演算の結果、差は正数であるため、ｙ＝６と判断する。
【０００７】
また、図３（ａ）の閾値テーブルの閾値は、随時使用され、運用中変更することはない。尚、図３（ａ）の閾値テーブルは、複数のユニット２のＬＣＤ２ａのコントラストを多段にわたって表示した際のＬＳＩ２ｂからのコントラスト調整電圧をＡ／Ｄ変換した値を測定し、隣接する複数の平均値の中点を閾値としている。
【０００８】
【特許文献１】特開平０２−２８０４７６号公報
【発明の開示】
【発明が解決しようとする課題】
【０００９】
しかし、上記のようなユニット２を多数製造すると、ＬＳＩ２ｂ、及び図示しないコンデンサ、コイル、抵抗の製造誤差等により、ユニット２からのコントラスト調整電圧が高い傾向、あるいは低い傾向となる場合があり、例えば、図３（ａ）の閾値テーブルの閾値の値と一致するような信号が送信された場合には、多機能電話機１のＬＣＤ１ａのコントラストが変動するという問題があった。
【００１０】
そこで、本発明は、上記従来の表示装置のコントラスト制御方法における問題点に鑑みてなされたものであって、互いに独立する２つのユニット間で、第１のユニットからのアナログコントラスト制御信号に基づいて、第２のユニットの表示装置のコントラストを複数段にわたって制御するにあたって、第１のユニットを多数製造した場合でも第２のユニットの表示装置のコントラストの変動を防止することを目的とする。
【課題を解決するための手段】
【００１１】
上記目的を達成するため、本発明は、互いに独立する第１及び第２のユニット間で、前記第１のユニットからのアナログコントラスト制御信号に基づいて、前記第２のユニットの表示装置のコントラストを複数段にわたって制御するにあたって、前記第２のユニットの起動時に、前記第１のユニットからのアナログコントラスト制御信号をＡ／Ｄ変換し、該デジタル信号に変換された信号のレベルに基づいて、予め定められた閾値テーブルの複数の閾値を使用してコントラストの高さを判断し、該コントラストの高さに基づいて前記第２のユニットの表示装置のコントラストを制御する方法において、前記デジタル信号のレベルが、前記閾値テーブルの隣接する２つの閾値の中間に位置するように、該２つの閾値をスライドさせるとともに、該２つの閾値以外の閾値を該２つの閾値と同じ幅でスライドさせて新たな閾値テーブルとすることを特徴とする。
【００１２】
そして、本発明によれば、第１のユニットからのアナログコントラスト制御信号をＡ／Ｄ変換して得られたデジタル信号のレベルが閾値テーブルの閾値の値と一致することがなくなり、第２のユニットの表示装置のコントラストの変動を防止することができる。
【００１３】
上記表示装置のコントラスト制御方法において、さらに、所定の時間毎に、前記閾値テーブルの閾値を、前記第１のユニットからのアナログコントラスト制御信号をＡ／Ｄ変換して得られたデジタル信号のレベルが、前記閾値テーブルの隣接する２つの閾値の中間に位置するように、該２つの閾値をスライドさせるとともに、該２つの閾値以外の閾値を該２つの閾値と同じ幅でスライドさせて新たな閾値テーブルとすることができる。
【００１４】
これによって、第１のユニットからのアナログコントラスト制御信号のレベルが時間経過、温度変化等によって変動した場合でも、第１のユニットからのアナログコントラスト制御信号をＡ／Ｄ変換して得られたデジタル信号のレベルが閾値テーブルの閾値の値と一致することがなくなり、第２のユニットの表示装置のコントラストをより安定した状態に維持することができる。
【発明を実施するための最良の形態】
【００１５】
次に、本発明の実施の形態について説明する。尚、以下の説明においても、独立したユニット間で、ＬＣＤのコントラストを従属的に変化させる装置として、図１に示した多機能電話機１とユニット２からなる装置に本発明にかかる表示装置のコントラスト制御方法を適用した場合を例にとって説明する。
【００１６】
図１に示す多機能電話機１は、この多機能電話機１を制御する主装置とともに、電話交換に使用する電話機であって、ＬＣＤ１ａを備え、ＬＣＤ１ａに通話相手の電話番号、時刻、通話時間等が表示される。
【００１７】
オプションのユニット２は、押しボタン対応のＬＣＤ２ａを備え、図示しない押しボタンに対応して割り付けられた回線番号や、各種機能のための名称等がＬＣＤ２ａに表示される。図示しないボリュームキーを押下することにより、ＬＳＩ２ｂからのコントラスト調整電圧をＡ／Ｄ変換回路１ｃによってＡ／Ｄ変換し、図４に示す演算を行い、ユニット２のＬＳＩ２ｂのコントラスト調整電圧の大きさにより、Ｄ／Ａ変換回路１ｄ使用してＬＣＤ１ａのコントラストを変化させる。
【００１８】
次に、上記多機能電話機１及びユニット２の動作について、図４を中心に参照しながら説明する。
【００１９】
多機能電話機１の起動時に、ＭＰＵ１ｂのポートからユニット２のＬＳＩ２ｂのコントラスト調整電圧を受け取ると、上述のように、Ａ／Ｄ変換回路１ｃによってＡ／Ｄ変換し、ステップＳ１において、端子電圧読込処理を行い、デジタル変換した信号のレベルを読込値ｘとする。ここで、ｘを仮に１８８とする。
【００２０】
まず、コントラスト値をｙ：７とする（ステップＳ２）。次いで、読込値ｘ：１８８から図３（ａ）に示した閾値テーブルの閾値ＪＵＤＧＥ７である１９５を減算する。ステップＳ３において、演算の結果、差は正数ではないため、ステップＳ４において、コントラスト値ｙを６として、読込値ｘ：１８８から閾値ＪＵＤＧＥ６である１８５を減算する。演算の結果、ステップＳ５において、差は正数であるため、図４のイへ進む。
【００２１】
次に、ステップＳ１１において、コントラスト値：ｙから予め設定されている図３（ａ）に示した閾値テーブルに対応する閾値を読み出し、この値をｚとすると、ｙが６、ｚが１８５となる。
【００２２】
次いで、ステップＳ１２において、（読込値：ｘ）と上記ｚとの差を算出し、その値から５を減算して、差分をｎとすると、ｘ−ｚ＝３となり、ｎ＝３−５＝−２となる。
【００２３】
次いで、ステップＳ１３において、予め設定されている図３（ａ）に示した閾値テーブルの８値をｎ分だけすべてスライドさせ、補正した新たな閾値テーブルを作成すると、図３（ｂ）のスライドした後の新たな閾値テーブルのＮＪＵＤＧＥ７：１９５が−２して１９３、ＮＪＵＤＧＥ６：１８５が−２して１８３、以降ＮＪＵＤＧＥ５〜０が各々、１７３、１６３、１５３、１４３、１３３、１２３となる。
【００２４】
上記補正による新たな閾値テーブルによると、図２（ｂ）に示すように、検出したコントラスト信号のレベルは、ＮＪＵＤＧＥ７とＮＪＵＤＧＥ６の中点となる。尚、上記実施の形態においては、ｙ＝６であったが、ｙが６以外の値であっても、検出コントラスト信号のレベルは、隣接する閾値の中点となる。
【００２５】
尚、上記一連の処理において、差分ｎを算出するにあたって、（ｘ−ｚ）から５を減算しているが、ＭＰＵ１ｂのＡ／Ｄ変換の分割能によっては、５以外の値を用いることもある。
【００２６】
次に、ある時点において、図１に示したユニット２でコントラストを２段階下げた場合の動作について図５を中心に参照しながら説明する。
【００２７】
ステップＳ１４において、上述と同様の端子電圧読込処理を行い、読込値：ｘが上記２段階下げたことにより、ｘが１６８近くになったとする。
【００２８】
ステップＳ１５において、コントラスト値セット：ｙ＝７とし、ステップＳ１６において、（読込値：ｘ＝１６８）−（閾値ＮＪＵＤＧＥ７：１９３）の演算を行うが、差は負数であるため、ステップＳ１７において、コントラスト値セット：ｙ＝６とし、ステップＳ１８において、（読込値：ｘ＝１６８）−（閾値ＮＪＵＤＧＥ６：１８３）の演算を行うが、差は負数であるため、図示を省略するが、次に、コントラスト値セット：ｙ＝５とし、（読込値：ｘ＝１６８）−（閾値ＮＪＵＤＧＥ５：１７３）の演算を行うが、差は負数であるため、次に、コントラスト値セット：ｙ＝４とし、（読込値：ｘ＝１６８）−（閾値ＮＪＵＤＧＥ６：１６３）の演算で、差が正数となり、ｙ＝４が決定する。
【００２９】
このｙ＝４の値で、図１の多機能電話機１のＤ／Ａ変換回路１ｄの抵抗を制御して、ＬＣＤ１ａをコントラスト４の高さで表示する。
【００３０】
尚、上記実施の形態においては、８段階にわたって多機能電話機１のＬＣＤ１ａのコントラストを制御したが、８段階を超えても、また、７段階以下であっても同様にコントラストを制御することができる。
【００３１】
さらに、コントラスト調整電圧が、時間、温度等により変化することが予想される場合には、多機能電話機１の起動時にだけ閾値を補正するのではなく、図４の閾値スライド手段フローチャートの処理を、一定時間毎、例えば、１０分毎、１時間毎に行うことにより、さらにコントラストの制御を安定させることができる。
【００３２】
また、上記実施の形態においては、多機能電話機１に付設された表示装置がＬＣＤの場合について説明したが、ＬＣＤ以外の表示装置であっても本発明にかかるコントラスト制御方法を適用することができる。
【図面の簡単な説明】
【００３３】
【図１】独立したユニット間で、ＬＣＤのコントラストを従属的に変化させる装置のブロック図である。
【図２】本発明にかかる表示装置のコントラスト制御方法の一実施の形態を示す概念図である。
【図３】本発明にかかる表示装置のコントラスト制御方法の一実施の形態における閾値テーブルを示す図であって、（ａ）は、予め設定されている閾値テーブル、（ｂ）は、スライドした後の補正閾値テーブルである。
【図４】本発明にかかる表示装置のコントラスト制御方法の一実施の形態を示すフローチャートである。
【図５】本発明にかかる表示装置のコントラスト制御方法の一実施の形態を示すフローチャートである。
【符号の説明】
【００３４】
１      多機能電話機
１ａ    ＬＣＤ
１ｂ    ＭＰＵ
１ｃ    Ａ／Ｄ変換回路
１ｄ    Ｄ／Ａ変換回路
２      ユニット
２ａ    ＬＣＤ
２ｂ    ＬＳＩ
【図１】
2005227321.tif 000003
【図２】
2005227321.tif 000004
【図３】
2005227321.tif 000005
【図４】
2005227321.tif 000006
【図５】
2005227321.tif 000007